(57)【要約】  医療器具の取出しおよび廃棄システムが、汚染された医療器具を受けるための第１の開口および医療器具を取り出すための第２の開口を有する筐体内部に取り付けられるように構成されている。システムは、実質的に筐体内部に封入され、筐体内部から取り外されるように構成された取出し室を含む。取出し室は医療器具を含むように構成され、医療器具を取出し室から出すための取出し口を有する。取出し口は、医療器具を筐体から出しやすいように、筐体の第２の開口と位置合わせされるように配置されている。システムはさらに、実質的に筐体内部に取出し室と隣接して封入され、筐体内部から取り外されるように構成された廃棄室を含む。廃棄室はさらに、汚染された医療器具を収集するように構成され、汚染された医療器具を廃棄室内へと入れやすくするための入口開口を有する。入口開口は、汚染された医療器具を筐体内へと入れやすいように、筐体の第１の開口と位置合わせされるように配置されている。
2008539876.tif 000002
【特許請求の範囲】
【請求項１】
汚染された医療器具を受けるための第１の開口および医療器具を取り出すための第２の開口を有する筐体内部に取り付けられるように構成された、医療器具の取出しおよび廃棄システムであって、
実質的に前記筐体内部に封入され前記筐体内部から取り外されるように構成されており、医療器具を含むように適合され、医療器具を取出し室から出しやすいようにするための取出し口を有し、前記取出し口が医療器具を前記筐体から出しやすいように前記筐体の第２の開口と位置合わせされるように配置されている取出し室と、
実質的に前記筐体内部に前記取出し室と隣接して封入され前記筐体内部から取り外されるように構成されており、汚染された医療器具を収集するように適合され、汚染された医療器具を廃棄室へと入れやすいようにするための入口開口を有し、前記入口開口が汚染された医療器具を前記筐体内へと入れやすいように前記筐体の第１の開口と位置合わせされるように配置されている廃棄室と、を含む医療器具の取出しおよび廃棄システム。
【請求項２】
前記取出し室および前記廃棄室が単一型の一体化された本体から形成されている、請求項１に記載の医療器具の取出しおよび廃棄システム。
【請求項３】
前記取出し室と前記廃棄室を隔てる内壁部分をさらに含む、請求項２に記載の医療器具の取出しおよび廃棄システム。
【請求項４】
前記取出し室および前記廃棄室を覆う蓋をさらに含む、請求項２に記載の医療器具の取出しおよび廃棄システム。
【請求項５】
前記蓋が前記廃棄室の前記入口開口に近接して配置された扉を含み、前記扉が前記廃棄室内部へのアクセスを可能にするように構成された開位置および前記廃棄室内部へのアクセスを阻止するように構成された閉位置を有する、請求項４に記載の医療器具の取出しおよび廃棄システム。
【請求項６】
前記扉が前記開位置と前記閉位置の間で回転するように取り付けられている、請求項５に記載の医療器具の取出しおよび廃棄システム。
【請求項７】
筐体が前記取出し室および前記廃棄室を収容する、請求項１に記載の医療器具の取出しおよび廃棄システムとの組合せ。
【請求項８】
前記取出し室および廃棄室が別個の容器によって画成されている、請求項１に記載の医療器具の取出しおよび廃棄システム。
【請求項９】
前記取出し室が、入口開口および前記入口開口を通して前記取出し室へと医療器具を置くことができる開位置へと可動である蓋を含む、請求項８に記載の医療器具の取出しおよび廃棄システム。
【請求項１０】
前記蓋が前記入口開口に隣接して蝶番連結され、前記蓋が前記開位置と閉位置の間で枢動するように構成された、請求項９に記載の医療器具の取出しおよび廃棄システム。
【請求項１１】
前記取出し室が前記取出し室の基部に近接して配置されたトラフを含み、前記トラフ部分が前記取出し口の少なくとも一部を画成する、請求項８に記載の医療器具の取出しおよび廃棄システム。
【請求項１２】
前記トラフ部分が開位置と閉位置の間で可動である扉を含み、前記扉が前記開位置にあるとき前記トラフ部分が前記取出し口を通る通路を提供し、前記扉が閉位置にあるとき前記トラフ部分が前記取出し口の少なくとも一部を遮断する、請求項１１に記載の医療器具の取出しおよび廃棄システム。
【請求項１３】
前記扉が前記開位置と前記閉位置の間で枢動可能である、請求項１２に記載の医療器具の取出しおよび廃棄システム。
【請求項１４】
前記扉が前記開位置にあるとき、前記トラフ部分の少なくとも一部を形成する壁面を有する、請求項１２に記載の医療器具の取出しおよび廃棄システム。
【請求項１５】
前記扉が側面部分および前記側面部分の間を延びる前面部分を有する、請求項１４に記載の医療器具の取出しおよび廃棄システム。
【請求項１６】
前記取出し室が少なくとも１つの医療器具を含む、請求項１に記載の医療器具の取出しおよび廃棄システム。
【請求項１７】
前記少なくとも１つの医療器具が、注射器、鋭利物、舌圧子またはスワブからなる群から選択される、請求項１６に記載の医療器具の取出しおよび廃棄システム。
【請求項１８】
前記廃棄室が前記入口開口に近接して配置された扉を含み、前記扉が前記廃棄室内部へのアクセスを可能にするように構成された開位置および前記廃棄室内部へのアクセスを阻止するように構成された閉位置を有する、請求項８に記載の医療器具の取出しおよび廃棄システム。
【請求項１９】
前記扉が前記開位置と前記閉位置の間で回転するように取り付けられている、請求項１８に記載の医療器具の取出しおよび廃棄システム。
【請求項２０】
前記取出し室および廃棄室が実質的に同一の容器によってそれぞれ画成されている、請求項１に記載の医療器具の取出しおよび廃棄システム。
【請求項２１】
前記容器が第１の向きで維持される前記取出し室を画成し、前記容器が第２の向きで維持される前記廃棄室を画成し、前記第２の向きが前記第１の向きに対して逆である、請求項２０に記載の医療器具の取出しおよび廃棄システム。
【請求項２２】
前記容器がそれぞれ蓋を有する前記取出し室および前記廃棄室を画成する、請求項２０に記載の医療器具の取出しおよび廃棄システム。
【請求項２３】
前記容器の前記蓋が前記第１の向きで前記取出し室の前記取出し口を画成し、前記容器の前記蓋が前記第２の向きで前記廃棄室の前記入口開口を画成する、請求項２２に記載の医療器具の取出しおよび廃棄システム。
【請求項２４】
前記容器が前記第１の向きで前記取出し室の前記取出し口に近接した面を含み、前記面が前記第１の向きで前記取出し口から不注意によって医療器具が脱落することを制限するように構成されている、請求項２１に記載の医療器具の取出しおよび廃棄システム。
【請求項２５】
前記容器の前記面が前記第２の向きで前記廃棄室の前記入口開口に隣接する、請求項２４に記載の医療器具の取出しおよび廃棄システム。
【請求項２６】
前記容器が前記第１の向きにあるとき前記面が上向きに延びる、請求項２４に記載の医療器具の取出しおよび廃棄システム。
【請求項２７】
医療器具を取り出すための取出し室および汚染された医療器具を受けるための廃棄室を有する医療器具の取出しおよび廃棄システムを収容するように構成された筐体であって、
医療器具の取出しおよび廃棄システムを受けるように構成された内部を画成する筐体本体と、
前記筐体本体によって画成され、汚染された医療器具を前記筐体本体外部から前記筐体本体内部の前記廃棄室内へと入れるように配置されている入口開口と、
前記筐体本体によって画成され、医療器具を前記筐体本体内部の前記取出し室内から出すように配置されている取出し口と、を含む筐体。
【請求項２８】
医療器具の取出しおよび廃棄システムを前記筐体の内部へと挿入するため、および医療器具の取出しおよび廃棄システムを前記筐体の内部から取り外すためのアクセスを提供する、前記筐体本体に取り付けられた扉をさらに含む、請求項２７に記載の筐体。
【請求項２９】
前記筐体本体に取り付けられた扉をさらに含み、前記扉が医療器具を前記取出し室から出すためのアクセスを提供する開位置および前記アクセスを阻止する閉位置を有する、請求項２７に記載の筐体。
【請求項３０】
前記入口開口が前記筐体本体の上部で画成され、前記取出し口が前記筐体本体の下部で画成される、請求項２７に記載の筐体。
【請求項３１】
廃棄室が汚染された医療器具を収集するように構成され、取出し室が医療器具を含むように構成され、前記廃棄室および前記取出し室が前記筐体の前記内部に並置されている、請求項２７に記載の筐体との組合せ。
【請求項３２】
汚染された医療器具を監視しやすくするように構成された前記筐体のポートをさらに含む、請求項２７に記載の筐体。
【請求項３３】
前記取出し室および前記廃棄室が別個の容器によって画成されている、請求項２７に記載の筐体。
【請求項３４】
廃棄室が汚染された医療器具を収集するように構成され、取出し室が医療器具を含むように構成され、前記廃棄室および前記取出し室が前記筐体の前記内部に並置されている、請求項３３に記載の筐体との組合せ。
【請求項３５】
前記取出し室および前記廃棄室が実質的に同一の容器によってそれぞれ画成されている、請求項２７に記載の筐体。
【請求項３６】
前記取出し室を取り付けるように構成されている支持体をさらに含む、請求項３５に記載の筐体。
【請求項３７】
廃棄室が汚染された医療器具を収集するように構成され、取出し室が医療器具を含むように構成され、前記廃棄室および前記取出し室が前記筐体の前記内部に並置されている、請求項３５に記載の筐体との組合せ。
【請求項３８】
医療器具の取出しおよび廃棄システムであって、内部を有する筐体と、
前記筐体の前記内部に配置されており、汚染された医療器具を前記廃棄室内へと入れるための入口開口を画成する廃棄室と、
前記筐体の前記内部に前記取出し室と隣接して配置されており、医療器具を前記取出し室内から出すための取出し口を画成する取出し室とを含み、
前記筐体が、汚染された医療器具を前記廃棄室内へと入れやすいようにするための前記廃棄室の前記入口開口と実質的に位置合わせされた第１の開口を画成し、前記筐体が、医療器具を前記取出し室から出しやすいようにするための前記取出し室の前記取出し口と実質的に位置合わせされた第２の開口を画成する、医療器具の取出しおよび廃棄システム。
【請求項３９】
前記廃棄室および前記取出し室が単一型の一体化された本体から形成されている、請求項３８に記載の医療器具の取出しおよび廃棄システム。
【請求項４０】
前記取出し室および前記廃棄室を覆う蓋をさらに含む、請求項３９に記載の医療器具の取出しおよび廃棄システム。
【請求項４１】
前記蓋が前記廃棄室の前記入口開口に近接して配置された扉を含み、前記扉が前記廃棄室内部へのアクセスを可能にするように構成された開位置および前記廃棄室内部へのアクセスを阻止するように構成された閉位置を有する、請求項４０に記載の医療器具の取出しおよび廃棄システム。
【請求項４２】
前記取出し室および廃棄室が別個の容器によって画成されている、請求項３８に記載の医療器具の取出しおよび廃棄システム。
【請求項４３】
前記取出し室が前記取出し室の基部に近接して配置されたトラフを含み、前記トラフ部分が前記取出し口を画成する、請求項４２に記載の医療器具の取出しおよび廃棄システム。
【請求項４４】
前記トラフ部分が開位置と閉位置の間で可動である扉を含み、前記扉が前記開位置にあるとき前記トラフ部分が前記取出し口を通る通路を提供し、前記扉が閉位置にあるとき前記トラフ部分が前記取出し口を遮断する、請求項４３に記載の医療器具の取出しおよび廃棄システム。
【請求項４５】
前記扉が前記開位置と前記閉位置の間で枢動可能である、請求項４４に記載の医療器具の取出しおよび廃棄システム。
【請求項４６】
前記筐体に蝶番連結された扉をさらに含み、前記筐体の前記扉が、前記開位置にある前記取出し室の前記トラフ部分の前記扉に適応する前記第２の開口の少なくとも一部を画成する、請求項４４に記載の医療器具の取出しおよび廃棄システム。
【請求項４７】
汚染された医療器具を監視しやすくするように前記筐体の前記扉にポートをさらに含む、請求項４６に記載の医療器具の取出しおよび廃棄システム。
【請求項４８】
前記取出し室および廃棄室が実質的に同一の容器によってそれぞれ画成されている、請求項３８に記載の医療器具の取出しおよび廃棄システム。
【請求項４９】
前記容器が第１の向きで維持される前記取出し室を画成し、前記容器が第２の向きで維持される前記廃棄室を画成し、前記第２の向きが前記第１の向きに対して逆である、請求項４８に記載の医療器具の取出しおよび廃棄システム。
【請求項５０】
前記容器がそれぞれ蓋を有する前記取出し室および前記廃棄室を画成する、請求項４９に記載の医療器具の取出しおよび廃棄システム。
【請求項５１】
前記廃棄室の前記蓋が前記筐体の前記第１の開口を通って延びる、請求項５０に記載の医療器具の取出しおよび廃棄システム。
【請求項５２】
医療器具の取出しおよび廃棄をするように構成された容器であって、
本体部分と、
前記本体部分から延び、前記取出し口の少なくとも一部を画成するフード部分とを含み、
第１の向きで、汚染された医療器具を前記フード部分の前記取出し口を通して収集するように構成され、容器の前記本体部分が汚染された医療器具を含むように構成されており、
第２の向きで、医療器具を前記フード部分の前記取出し口を通して取り出すように構成され、容器の前記本体部分が医療器具を含むように構成されており、前記フード部分は医療器具が不注意によって前記本体部分から脱落することを制限する向きになっており、前記取出し口は医療器具を前記本体部分から出すように配置されており、
容器の第２の向きが、容器の前記第１の向きに対して逆になっている容器。
【請求項５３】
前記容器が前記第１の向きおよび前記第２の向きで筐体の内部に配置されるように構成されている、請求項５２の容器。
【請求項５４】
前記容器の前記第１の向きで、前記取出し口が、汚染された医療器具を前記本体部分に入れやすいように前記筐体の前記第１の開口と実質的に位置合わせされ、前記容器の前記第２の向きで、前記取出し口が、医療器具を前記本体部分から出しやすいように前記筐体の前記第２の開口と実質的に位置合わせされている、請求項５３に記載の容器。
【請求項５５】
前記筐体が前記第１の向きで前記容器を支持するように構成された支持体を含む、請求項５４に記載の容器。
【請求項５６】
前記支持体に係合するように構成されたフランジをさらに含む、請求項５５に記載の容器。
【請求項５７】
前記第１の向きで、前記容器の前記フード部分の少なくとも一部が前記筐体の前記第１の開口を通って延びる、請求項５４に記載の容器。
【請求項５８】
前記第２の向きで、医療器具が不注意によって前記容器から脱落することを制限するように、前記取出し口に近接する隔壁をさらに含む、請求項５４に記載の容器。
【請求項５９】
医療器具の取出しおよび廃棄方法であって、
未使用の医療器具を含む容器を、筐体から医療器具を取り出すように構成された第１の向きで前記筐体内に配置するステップと、
前記筐体内の前記第１の向きから、汚染された医療器具を廃棄のために受けるように構成された前記筐体内の第２の向きへと、向きを変更するステップと、を含む方法。
【請求項６０】
未使用の医療器具を前記容器から入手するステップをさらに含み、前記容器が未使用の医療器具を前記第１の向きで取り出すように構成され、汚染された医療器具を前記第２の向きで収集するように構成されている、請求項５９に記載の方法。
【請求項６１】
未使用の医療器具を使用するために前記第１の向きで前記容器から取り出すステップをさらに含む、請求項５９に記載の方法。
【請求項６２】
使用済みの医療器具を前記第２の向きで前記容器内に置くステップをさらに含む、請求項５９に記載の方法。
【請求項６３】
前記筐体の内部に第１の容器を取り付けるステップをさらに含み、前記第１の容器が前記第１の向きである、請求項５９に記載の方法。
【請求項６４】
前記筐体の内部に前記第１の容器と隣接して第２の容器を取り付けるステップをさらに含み、前記第２の容器が前記第２の向きである、請求項６３に記載の方法。
【請求項６５】
前記変更するステップの後で前記筐体から医療器具を取り出すように構成される前記第１の向きで、前記筐体内に未使用の医療器具を含む別の容器を取り付けるステップをさらに含む、請求項５９に記載の方法。
【請求項６６】
前記容器を前記筐体内の前記第１の向きから、前記筐体内の前記第２の向きへと向きを変更するステップが前記容器を逆向きにするステップを含む、請求項５９に記載の方法。
【請求項６７】
医療器具の取出しおよび廃棄システムを提供する方法であって、
未使用の医療器具を第１の向きで取り出すように構成され、使用済みの医療器具を第２の向きで収集するように構成された容器内にパッケージされた未使用の医療器具を提供するステップと、
空の容器を未使用の医療器具を含む容器とともにパッケージするステップとを含み、第２の容器が前記第２の向きに向けられるように構成されている方法。
【請求項６８】
筐体を容器とともにパッケージするステップとをさらに含み、取出し容器および廃棄容器が前記筐体内で並置されている、請求項６７に記載の方法。
【発明の詳細な説明】
【技術分野】
【０００１】
本発明は医療器具の取出しおよび収集システムに関する。
【背景技術】
【０００２】
病院、診察室または家庭などの環境では、汚染された注射器または他の医療器具は、一般に、使用後に廃棄容器に廃棄される。未使用の滅菌された注射器または他の医療器具は、一般に、廃棄容器とは別の保管場所から入手される。しかし、未使用の滅菌された医療器具の保管場所と、使用後の汚染された医療器具を収集するための別個の容器を設けることは、幾分不便な場合がある。言い換えると、器具を入手するための場所と器具を廃棄するための場所が別であることは、医療従事者にとっての利便性という点から見ると、不利な場合がある。
【０００３】
この不便性を克服するために、いくつかの試みがなされてきた。例えば、米国特許第5,152,394号には改良された注射器の取出しおよび収集システムが開示されており、滅菌された皮下注射針の保管室および別個の汚染された皮下注射針の収集室を有する円筒形容器を含む、個人用の注射器の取出しおよび収集システムが説明されている。保管室は円筒形容器の外周部分に維持され、収集室は円筒形容器の中心部分に維持されている。保管室および収集室は内部の円筒形壁面によって隔てられている。容器の上部に取り付けられた入れ子式のカバーが、汚染された皮下注射針を受けるように構成された開口を画成する。容器の外壁面は、滅菌された皮下注射針が保管室から出るための出口開口を形成する。
【発明の開示】
【発明が解決しようとする課題】
【０００４】
しかし、医療器具の取出しおよび収集デバイスは、さらなる開発および改良が引き続き必要とされている。
【課題を解決するための手段】
【０００５】
本発明の一態様では、医療器具の取出しおよび廃棄システムが、汚染された医療器具を受けるための第１の開口および医療器具を取り出すための第２の開口を有する筐体内部に取り付けられるように構成されている。医療器具の取出しおよび廃棄システムは、実質的に筐体内部に封入され、筐体内部から取り外されるように構成された取出し室を含む。取出し室は医療器具を含むように構成され、医療器具を取出し室から出すための取出し口を有する。取出し口は、医療器具を筐体から出しやすいように、筐体の第２の開口と位置合わせされるように配置されている。医療器具の取出しおよび廃棄システムはさらに、実質的に筐体内部に取出し室に隣接して封入され、筐体内部から取り外されるように構成された廃棄室を含む。廃棄室はさらに、汚染された医療器具を収集するように構成され、汚染された医療器具を廃棄室内へと入れやすくするための入口開口を有する。入口開口は、汚染された医療器具を筐体内へと入れやすいように、筐体の第１の開口と位置合わせされるように配置されている。
【０００６】
本発明の別の態様では、医療器具の取出しおよび廃棄システムは内部を有する筐体を含む。廃棄室は筐体の内部に配置され、汚染された医療器具を廃棄室へと入れやすくするための入口開口を画成する。取出し室は筐体の内部に配置され、医療器具を取出し室から出しやすくするための取出し口を画成する。
【０００７】
本発明のさらに別の態様では、医療器具を取り出すための取出し室および汚染された医療器具を受けるための廃棄室を有する、医療器具の取出しおよび廃棄システムを収容するように構成された筐体が提供される。筐体は、医療器具の取出しおよび廃棄システムを受けるように構成された内部を画成する筐体本体を含む。筐体本体によって入口開口が画成され、入口開口は、汚染された医療器具を筐体本体外部から筐体本体内部の廃棄室内へと入れるように配置されている。筐体本体によって取出し口が画成され、取出し口は、医療器具を筐体本体内部の取出し室内から出すように配置されている。
【０００８】
本発明の別の態様では、医療器具を取出しおよび廃棄するように構成された本体部分を含む容器が提供され、フード部分が本体部分から延び、取出し口の少なくとも一部がフード部分に形成されている。第１の向きでは、容器はフード部分の取出し口を通して汚染された医療器具を収集するように構成され、容器の本体部分は汚染された医療器具を含むように構成されている。第２の向きでは、容器はフード部分の取出し口を通して医療器具を取り出すように構成されている。容器の本体部分は医療器具を含むように構成され、フード部分は医療器具が不注意によって本体部分から脱落することを制限する向きになっており、取出し口は医療器具を本体部分から出すように配置されている。容器の第２の向きは、容器の第１の向きに対して逆になっている。
【０００９】
本発明の別の態様では、医療器具の取出しおよび廃棄のための方法が提供される。方法は、未使用の医療器具を含む容器を、筐体から医療器具を取り出すように構成された第１の向きで筐体内に配置するステップを含む。容器は、筐体内の第１の向きから、使用済みの医療器具を廃棄のために受けるように構成された筐体内の第２の向きへと、向きを変更される。
【００１０】
本発明のさらに別の態様では、医療器具の取出しおよび廃棄システムを設けるための方法が提供される。方法は、未使用の医療器具を第１の向きで取り出すように構成され、使用済みの医療器具を第２の向きで収集するように構成された容器内にパッケージされた未使用の医療器具を提供するステップを含む。空の容器が未使用の医療器具を含む容器とともにパッケージされ、第２の容器は第２の向きに向けられるように構成されている。
【発明を実施するための最良の形態】
【００１１】
本発明は以下の詳細な説明を添付の図面と併せて読めば最も良く理解される。実施例では、図面の様々な特徴は正確な縮尺ではないことを強調する。逆に、様々な特徴の寸法は、明確性のために任意に拡大または縮小されている。
【００１２】
本発明を特定の実施形態を参照しながら図示および説明するが、本発明は図示された細部の通りに限定されるものではない。むしろ、特許請求の範囲の等価物の範囲内で本発明から逸脱せずに、細部に様々な修正を行なうことができる。
【００１３】
本発明は、図示の目的で選択された本発明の例示的な実施形態を示す、以下の詳細な説明を添付の図面と併せて読めば、最も良く理解される。本発明は図を参照しながら説明する。このような図は、限定的ではなく例示的なものであり、本発明の説明を容易にするために示されている。
【００１４】
本願明細書で使用される医療器具という用語は、限定はされないが、鋭利物、注射器、舌圧子、ランセット、外科用メス、スライド、ピペット等、医療目的で使用される一般消費デバイスをいう。
【００１５】
図を全体的に参照すると、本発明の例示的な態様による医療器具の取出しおよび廃棄システム１００、２００、３００が、取出し室を画成する医療器具の取出し容器または容器部分１２０、２２０、３１０’、収集室を画成する汚染された医療器具の収集容器または容器部分１１０、２１０、３１０、および両方の室を収容する任意の筐体１３０、２３０、３３０を含む。容器１１０、２１０、３１０によって画成される収集室は、汚染された医療器具を収集するように構成されており、汚染された医療器具を収集容器１１０、２１０、３１０に入れるように配置された入口１１１、２１１、３１７を含む。容器１２０、２２０、３１０’によって画成される取出し室は、未使用の医療器具を収容するように構成されており、未使用の医療器具を容器１２０、２２０、３１０’に入れるように配置された取出し口１２９、２２３、３１７を含む。
【００１６】
取出しおよび収集室は筐体１３０、２３０、３３０内に収容されている。筐体１３０、２３０、３３０には、容器１１０、２１０、３１０によって画成される収集室の入口１１１、２１１、３１７にアクセスするための開口１３１、２３１、３３１が設けられている。筐体１３０、２３０、３３０にはまた、容器１２０、２２０、３１０’によって画成される取出し室の取出し口１２９、２２３、３１７にアクセスするための開口１３２、２３２、３３２も設けられている。筐体１３０、２３０、３３０は、取出容器１２０、２２０、３１０’および収集容器１１０、２１０、３１０への無許可のアクセスを阻止するためのロック扉１３５、２３５、３３５を含む。
【００１７】
筐体１３０、２３０、３３０は図示のために選択されているが、筐体１３０、２３０、３３０は、医療器具の取出しおよび廃棄システム１００、２００、３００の任意の構成部品である。医療器具の取出しおよび廃棄システム１００、２００、３００は、図１、４および７に示すように、取出容器１２０、２２０、３１０’によって画成されるような取出し室および収集容器１１０、２１０、３１０によって画成されるような収集室のみを含むことができる。
【００１８】
図１から３に示された例示的な実施形態、より詳細には図１を参照すると、本発明の一態様による医療器具の取出しおよび廃棄システムが全体的に数字１００で示されている。システム１００は収集容器１１０によって画成された収集室および取出し容器１２０によって画成された取出容器を含む。収集容器１１０は、本体部分１１８、蓋１１２および蓋１１２に形成された入口１１１を含む。取出容器１２０は、本体部分１２８、蓋１２２、シュート１２３および取出し口１２９を含む。
【００１９】
例示的な実施形態の収集容器１１０は、汚染された医療器具を保存するように構成されている。収集容器１１０の壁面は、内部本体部分１１８を画成し、収集容器１１０の構造を構成する。汚染された医療器具は内部本体部分１１８内に保存される。蓋１１２は本体部分１１８にアクセスできるように収集容器１１０の上面に配置されている。蓋１１２は、汚染された医療器具を本体部分１１８に入れるための入口開口１１１を画成する。
【００２０】
蓋１１２は収集容器１１０の上面の全部または一部を含む。この実施形態では、蓋１１２は開位置（図１に示す）と閉位置の間で枢動可能である摺動可能なスクリーンを含む。スクリーンの位置によって、汚染された医療器具を入れるための入口開口１１１のサイズが画成される。使用者は、例えば、汚染された医療器具で満たされた内部本体部分１１８へのアクセスを禁止するために、スクリーンを枢動させて入口開口１１１を閉じる。使用者はまた、持ち運び中に汚染された医療器具またはその内容物が漏れることを防ぐために、入口開口１１１を閉じることもできる。
【００２１】
蓋１１２は収集容器の上壁部と一体に形成することができる。あるいは、蓋１１２は図１に示すように、収集容器の上面に取り付けられた別個の構成部品とすることもできる。蓋１１２は、蝶番、接着剤、溶接、クリップ、クランプまたは一般に当技術分野で既知である他の機械的締結法を使用して、収集容器１１０の上面に取り付けることができる。この実施形態では、蓋１１２および一体型の入口１１１は収集容器１１０の上面に取り付けられているが、蓋１１２および入口１１１は設計の他の態様に従って収集容器１１０のいずれかの側面の上部または他の位置に配置することもできる。
【００２２】
例示的な実施形態の取出し容器１２０は、滅菌された未使用の医療器具１２４を取り出すように構成されている。取出し容器１２０の壁面は、内部本体部分１２８を画成し、取出し容器１２０の構造を構成する。滅菌された医療器具１２４は内部本体部分１２８内に保存される。蓋１２２は、内部本体部分１２８へのアクセスを可能にするように、取出し容器１２０の上端部に蝶番１２１によって蝶番連結されている。蓋１２２は開位置と閉位置の間で枢動する（図１に示す通り）。使用の際は、蓋１２２は開位置へと枢動して、滅菌された医療器具１２４を取出し容器１２０の内部本体部分１２８内に入れる。図示するように、蓋１２２は閉位置へと枢動して、滅菌された医療器具１２４へのアクセスを阻止する。
【００２３】
取出し口１２９は、滅菌された医療器具１２４へのアクセスを可能にするように、側面の下端部に形成されている。拡張可能なシュート１２３が、取出し容器１２０の下端部に蝶番１２５によって蝶番連結されている。シュート１２３は２つの側面および側面の間を延びる前面を含む。拡張可能なシュート１２３は開位置と閉位置の間で枢動する（図１に示す通り）。開位置では、拡張可能なシュート１２３によって、滅菌された医療器具１２４を本体部分１２８から取出し口１２９を通して制御された状態で出しやすくなっている。開位置では、シュート１２３はまた、医療器具１２４が取出し口１２９から制御不能に大量に出ることを防ぐための効果的な隔壁も形成する。閉位置では、シュート１２３は取出し口１２９を遮断し、それにより本体部分１２８内の滅菌された医療器具１２４にアクセスされないようにする。
【００２４】
輸送および運搬のために、シュート１２３および蓋１２２を閉位置に維持して、あらかじめパッケージされた滅菌された医療器具１２４が脱落しないようにする。またシュート１２３および蓋１２２を閉位置に維持して、取出し容器１２０の全体的な輸送サイズを小さくする。図示されていないが、シュート１２３および蓋１２２は、滅菌された医療器具１２４への無許可のアクセスをさらに防ぐためにロック機構を組み込むこともできる。
【００２５】
使用の際、図１に図示された例示的な実施形態では、１つまたは複数のあらかじめパッケージされた滅菌された医療器具１２４が、取出し容器１２０の拡張されたシュート１２３から取り出されて、使用すなわち汚染される。当初滅菌されていたが既に汚染された医療器具は、廃棄の準備をして入口開口１１１を通して本体部分１１８へと挿入される。収集容器１１０の本体部分１１８の容量が一杯になると、入口開口１１１を通して本体部分１１８へのアクセスができないように蓋１１２が閉じられる。
【００２６】
例示的な実施形態の容器１１０、１２０は、射出成形工程またはブロー成形工程または既知の形成工程によって形成される。あるいは、容器の壁面を分離し、互いに接着、溶接、スナップ嵌めおよび／またはクリップ留めすることもできる。容器１１０、１２０は望ましくは、ポリプロピレンまたはポリエチレンなど、実質的に耐漏洩性の材料から構成される。容器１１０、１２０は、容器内の医療器具の量を監視するために、一部または全体を透明または半透明とすることができる。
【００２７】
図示されていないが、単一型汎用容器に容器１１０および１２０の両方の機能を組み込むこともできる。汎用容器には、（入口開口１１１を備えた）蓋１１２および拡張可能なシュート１２３の両方を設けることができる。取出し容器として使用するときは、汎用容器の拡張可能なシュート１２３を開位置へと拡張し、蓋１１２を閉位置へと回転する。収集容器として使用するときは、汎用容器の拡張可能なシュート１２３を閉位置へと引き寄せ、蓋１１２を開位置へと回転する。２つの別個の容器の代わりに単一型汎用取出し／収集容器を製造、在庫および／または設置することは、大幅なコスト削減となる。
【００２８】
図２および３を詳細に参照すると、図１に示された医療器具の取出しおよび廃棄システム１００が、本発明の一態様に従って、筐体１３０に取り付けられている。上述したように、筐体１３０は図示のために選択され、この実施形態の構成部品として含まれるが、筐体１３０は取出しおよび廃棄システム１００の任意の構成部品である。
【００２９】
図２は筐体１３０内に維持された医療器具の取出しおよび廃棄システム１００を示しており、筐体１３０の扉１３５が閉位置にある。図３は開位置にある筐体１３０の扉１３５を示す。筐体１３０は、収集容器１１０および取出し容器１２０の機能を損なわずに保管し安全性を維持するために容器１１０、１２０を収容する。したがって、筐体１３０には取出し容器１２０の拡張可能なシュート１２３に適応する開口１３２が設けられている。開口１３２には、拡張可能なシュート１２３が障害なしに筐体の扉１３５を通って拡張することができるように、十分な間隙が設けられている（図２に示す通り）。
【００３０】
筐体１３０にはまた、汚染された医療器具を入口開口１１１を通して入れることができるように、収集容器１１０の入口開口１１１と実質的に位置合わせされた入口開口１３１が設けられている。入口開口１３１は、収集容器１１０の上面に近接して接触または終端するように、筐体１３０の内部までまたは内部に向かって延びる複数の側面１３８を含む。側面１３８は、汚染された医療器具が不注意によって筐体１３０内部へ落下し、またはシュート１２３に入ることがないようにする。
【００３１】
筐体１３０は５つの側面および蝶番連結された扉１３５を含む。筐体１３０は５つの側面を含むが、筐体はいくつの側面を含んでもよい。扉１３５は、図３に示す通り、筐体１３０の側面に蝶番１３７によって蝶番連結される。扉１３５の向きおよび位置は図示の通りに限定されるものではなく、扉１３５は筐体１３０のいずれの側面に連結することもできる。
【００３２】
１つまたは複数の支持体１３６が筐体１３０の基部に設けられている。支持体１３６は、筐体１３０が床または机などの面に取り付けられているとき、筐体１３０を直立位置に維持するように構成されている。あるいは、図示されていないが、筐体１３０を壁面に取り付けるために、筐体１３０の後面に、穴、スロットまたはブラケットを設けることもできる。
【００３３】
筐体１３０の扉１３５にウインドウ１３３が設けられている。扉によって、図２に示すように扉１３５が閉位置にあるとき、収集容器１１０内の汚染された医療器具の監視がしやすくなる。使用の際は、使用者は収集容器１１０内の汚染された医療器具の量を監視して、収集容器１１０をいつ取り替えるべきか判断する。
【００３４】
筐体１３０内部への無許可のアクセスを防ぐために、筐体１３０の扉１３５にロック１４０が設けられている。ロック１４０は筐体１３０の側面に係合する。
例示的な実施形態の筐体１３０は、射出成形、ブロー成形、鋳造または他の形成工程で形成することができる。あるいは、筐体の壁面を分離し、互いに接着、溶接、スナップ嵌めおよび／またはクリップ留めすることもできる。筐体１３０は、ポリプロピレンまたはポリエチレンまたは他の適切な材料などの材料から形成することができる。
【００３５】
図１から３に示す例示的な実施形態と同様に、医療器具の取出しおよび廃棄システムの別の例示的な実施形態が、図４から６に示されている。医療器具の取出しおよび廃棄システム２００は、汚染された医療器具を収集するように構成された収集室を画成する収集容器２１０および医療器具を取り出すように構成された取出し室を画成する取出し容器２２０を含む。この例示的な実施形態では、取出し容器２２０および収集容器２１０は単一型の一体化された本体から形成されている。２つの別個の容器の代わりに単一型の取出し／収集容器を製造、在庫および／または設置することは、大幅なコスト削減となる。取出し容器２２０は本体部分２２８および取出し口２２３を含む。収集容器２１０は本体部分２１８を含む。蓋２２２は収集容器２１０および取出し容器２２０の上端部に取り付けられている。
【００３６】
図１から３に示す上述の実施形態と同様に、蓋２２２は開位置（図４に示す）と閉位置の間で枢動可能である、摺動可能なスクリーン２１２を組み込んでいる。スクリーン２１２の位置によって、汚染された医療器具を入れるための入口開口２１１のサイズが画成される。摺動可能なスクリーン２１２は蓋２２２と一体型とすることができ、または図４に示すように蓋２２２上に取り付ける（例えば、スナップ嵌めまたは接着する）ことができる。
【００３７】
収集容器２１０および取出し容器２２０は単一型の一体化された本体から形成される。点線で示す内壁２２１が容器の内部に配置され、収集容器２１０と取出し容器２２０を隔てている。内壁２２１は、汚染された医療器具と滅菌された医療器具が一緒になることを防ぐ。取出し口２２３は取出し容器２２０からの滅菌された医療器具の取出しに適応している。蓋２２２は容器２１０、２２０の露出した上面を覆うように設けられている。蓋２２２は、例えば舌および溝、クリップ、クランプ、溶接、接着等、当分野で既知の機械的取付け手段によって容器２１０、２２０の上面に取り付けられている。
【００３８】
例示的な実施形態の一体化された容器２１０、２２０は、射出成形工程またはブロー成形工程または既知の製造工程によって形成される。あるいは、容器の壁面を分離し、互いに接着、溶接、スナップ嵌めおよび／またはクリップ留めすることもできる。容器２１０、２２０は望ましくは、ポリプロピレンまたはポリエチレンなど、実質的に耐漏洩性の材料から構成される。容器２１０、２２０は、容器内の医療器具の量を監視するために、一部または全体を透明または半透明とすることができる。
【００３９】
ここで図５および６を参照すると、上記の実施形態と同様に、図５および６に例示された医療器具の取出しおよび廃棄システム２００が筐体２３０に取り付けられている。図５は筐体２３０内に維持された医療器具の取出しおよび廃棄システム２００を示しており、筐体２３０の扉２３５が閉位置にある。図６は開位置にある筐体２３０の扉２３５を示す。扉２３５は蝶番２３７によって筐体２３０に蝶番連結されている。収集容器２１０内の汚染された医療器具を監視するために、扉２３５にウインドウ２３３が設けられている。筐体２３０内部への無許可のアクセスを防ぐために、扉２３５にロック２４０が設けられている。
【００４０】
しかし、上記の実施形態とは異なり、この例示的な実施形態の筐体２３０は拡張可能なシュート２３８を組み込んでいる。シュート２３８は蝶番２３９によって扉２３５に蝶番連結されており、取出し容器２２０の取出し口２２３と位置合わせされている。拡張可能なシュート２３８によって、滅菌された医療器具２２４を筐体２３０の取出し口２３２および取出し容器２２０の取出し口２２３を通して制御された状態で出しやすくなっている。開位置では、シュート２３８はまた、医療器具２２４が取出し容器２２０の取出し口２２３から制御不能に大量に出ることを防ぎ、同時に使用者が滅菌された医療器具１２４にアクセスできるようにするための効果的な隔壁も形成する。閉位置では、シュート２３８は取出し容器２２０の取出し口２２３を遮断し、それにより滅菌された医療器具２２４への無許可のアクセスを阻止する。引き込み位置（すなわち、閉位置）では、シュート２３８の側面が取出し容器２２０のいずれかの側面に配置されている。
【００４１】
筐体２３０にはまた、汚染された医療器具を入口開口２１１を通して入れることができるように、収集容器２１０の入口開口２１１と実質的に位置合わせされた開口２３１が設けられている。筐体２３０の入口２３１は、筐体２３０の内部へと延びる複数の側面２３４を含む。側面２３４は蓋２２２と摩擦接触するように維持され、汚染された医療器具が不注意によって筐体２３０内部へと落下することを防ぐ隔壁となる。
【００４２】
図４から６に示す例示的な実施形態と同様に、医療器具の取出しおよび廃棄システムの別の例示的な実施形態が、図７から９に示されている。医療器具の取出しおよび廃棄システム３００は、汚染された医療器具を収集するように構成された収集室を画成する収集容器３１０および医療器具の取出しを容易にするように構成された取出し室を画成する取出し容器３１０’を含む。この例示的な実施形態では、単一型汎用容器が取出し容器３１０’および収集容器３１０の両方となるように構成されている。１つの向きでは容器は取出し容器３１０’として機能し、別の向きでは容器は収集容器３１０として機能する。図７を詳細に参照すると、左に図示された容器は収集容器３１０としての向きになっており、右に図示された容器は取出し容器３１０’としての向きになっている。収集容器３１０は直立の向きであり、取出し容器３１０’は倒立の向きである。
【００４３】
汎用容器３１０、３１０’は製造、在庫および／または設置の点から有利となり得る。２つの異なる容器の代わりに単一型の取出し／収集容器を製造することは、大幅なコスト削減となることができる。
【００４４】
容器３１０、３１０’は本体部分３１２および蓋３１５を含む。蓋３１５は本体部分３１２の上面３１３に脱着可能に取り付けられている。蓋３１５は本体部分３１２と一体とすることができ、または図７に示すように別個の構成部品とすることもできる。蓋３１５は、蓋３１５の外周に沿って配置された一体型のフランジ部分３２２を含む。フランジ部分３２２の目的は、後で詳細に説明する。蓋３１５は板金から形成し、または成形工程によって形成することができる。
【００４５】
蓋３１５に形成された隔壁３１６が、開口３１７内へと延びている。取出しの向き（３１０’）では、隔壁３１６は滅菌された医療器具を含み、滅菌された医療器具を蓋３１５の開口３１７を通して制御された状態で出しやすくなっている。隔壁３１６はまた、医療器具が開口３１７から制御不能に大量に出ることを防ぐための効果的な隔壁も形成する。
【００４６】
図７Ａに図示された取出し容器３１０”の例示的な実施形態は、隔壁３１６に枢動的に連結されたフリップ蓋３７０を含む。フリップ蓋３７０は開位置と閉位置の間で枢動するように構成されている。図７Ａに図示されたフリップ蓋３７０は部分的な開位置で示されている。図示のために選択されたフリップ蓋３７０は取出し容器３１０”と一体化されているが、フリップ蓋３７０は収集容器３１０と一体化することもできる。開位置では、フリップ蓋３２０によって、取出し容器３１０”内の滅菌された医療器具または収集容器３１０内の汚染された医療器具のいずれかへのアクセスが可能になる。閉位置では、フリップ蓋３７０が開口３１７を遮断し、それにより収集容器３１０内の汚染された医療器具または取出し容器３１０”内の滅菌された医療器具へのアクセスが阻止される。容器３１０、３１０”への無許可のアクセスを防ぐために、ロック３７２が隔壁３１６に連結されている。ロックは、容器３１０の運搬および輸送時に収集容器３１０の開口３１７を安全に遮断するために特に有利である。
【００４７】
ここで図８および９を特に参照すると、上記の実施形態と同様に、図８および９に例示された医療器具の取出しおよび廃棄システム３００が筐体３３０に収容されている。図８は筐体３３０内に維持された医療器具の取出しおよび廃棄システム３００を示しており、筐体３３０の扉３３５が閉位置にある。図９は開位置にある筐体３３０の扉３３５を示す。図９に示すように、取出し容器３１０’は筐体３３０の左側に倒立の向きで示され、収集容器３１０は筐体３３０の右側に直立の向きで示されている。
【００４８】
筐体３３０には、収集容器３１０の蓋３１５に適応するように配置された開口３３１が設けられている。筐体３３０にはまた、滅菌された医療器具を取出し容器３１０’から出しやすいように、取出し容器３１０’の開口３１７と実質的に位置合わせされた取出し口３３２が設けられている。２つのレール部３４０が収集容器３１０のフランジ部分３２２に適応している。フランジ部分３２２はレール部３４０に係合し、それに沿って平行移動する。２つのレール部３４０によって、収集容器３１０のｘ方向への移動が制限される。扉３３５および筐体の後面によって、収集容器３１０のｙ方向への移動が制限される。筐体３３０の下側壁面に形成された隔壁３４２によって、取出し容器３１０’のｘ方向への移動が制限される。扉３３５および筐体の後面によって、取出し容器３１０’のｙ方向への移動が制限される。
【００４９】
使用の際は、取出し容器３１０’内の滅菌された医療器具がすべて使用され、収集容器３１０が汚染された医療器具で十分に一杯になった後、一杯になった収集容器３１０を筐体３３０から取り外し、安全に廃棄して空の収集容器３１０にスペースを作る。空の取出し容器３１０’を逆向きにして、取出し容器３１０’から収集容器３１０へと、その機能を変化させる。以前は空の取出し容器３１０’であった収集容器３１０が、筐体３３０の右側に直立の位置で取り付けられる。滅菌された医療器具で満たされた新しい取出し容器３１０’が、筐体３３０の左側に取り付けられる。
【００５０】
図７から９に示された実施形態を参照すると、システム３００の迅速な設置を容易にするために、滅菌された医療器具を取出し容器３１０’内にあらかじめパッケージすることができる。輸送中、滅菌された医療器具が取出し容器３１０’から脱落しないように、脱着可能な隔壁で開口３１７を密封することができる。筐体３３０を、取出し容器３１０’および／または収集容器３１０とともにまたはそれを備えずに、パッケージし使用者に輸送することができることが企図されている。個々の取出し容器３１０’および／または収集容器３１０を、筐体３３０とともにまたはそれを備えずに、パッケージし使用者に輸送することができることも企図されている。
【００５１】
以上、図中での図示のために選択された特定の実施形態を参照しながら本発明を説明したが、システム１００、２００、３００およびその構成部品には、本発明の精神および範囲から逸脱せずに多くの変形または修正を行なうことができることが明らかである。例えば、取出し容器はどのような状態の医療器具を保持するようにも構成されているので、未使用の医療器具は滅菌されている必要はないことに留置されたい。いくつかの成形工程を述べたが、システムおよびその構成部品は特定の製造工程または材料に限定されるものではない。さらに、図示のために選択された収集および取出し容器は並置して示したが、収集容器を取出し容器の上に配置することも、その反対に配置することもできる。
【図面の簡単な説明】
【００５２】
【図１】本発明の一態様による、医療器具の取出しおよび廃棄システムの実施形態の斜視図である。
【図２】閉じられた筐体内に取り付けられた、図１に示す実施形態の斜視図である。
【図３】開かれた筐体内に取り付けられた、図１に示す実施形態の斜視図である。
【図４】本発明の一態様による、医療器具の取出しおよび廃棄システムの別の実施形態の斜視図である。
【図５】閉じられた筐体内に取り付けられた、図４に示す実施形態の斜視図である。
【図６】開かれた筐体内に取り付けられた、図４に示す実施形態の斜視図である。
【図７】本発明の一態様による、医療器具の取出しおよび廃棄システムのさらに別の実施形態の斜視図である。
【図７Ａ】フリップ蓋と共に使用される、図７に示す実施形態の斜視図である。
【図８】閉じられた筐体内に取り付けられた、図７に示す実施形態の斜視図である。
【図９】開かれた筐体内に取り付けられた、図７に示す実施形態の斜視図である。
【図１】
2008539876.tif 000003
【図２】
2008539876.tif 000004
【図３】
2008539876.tif 000005
【図４】
2008539876.tif 000006
【図５】
2008539876.tif 000007
【図６】
2008539876.tif 000008
【図７】
2008539876.tif 000009
【図７Ａ】
2008539876.tif 000010
【図８】
2008539876.tif 000011
【図９】
2008539876.tif 000012
【国際調査報告】
2008539876.tif 000013
2008539876.tif 000014
2008539876.tif 000015